(57)【要約】【課題】小型化を妨げることなく発呼操作を容易にすることを可能にする通信装置を提供する。【解決手段】制御部は、指紋センサから指紋が検出されたと判定すると（Ｓ２１ステップ）、検出された指紋と一致する指紋データが第２格納部に格納されているか否か判定し（Ｓ２２ステップ）、格納されていると判定すると、一致する指紋データに対応する電話番号を表示部に表示させ（Ｓ２４ステップ）、続いて入力部から通話キーの押下があると判定すると（Ｓ２５ステップ）、表示部に表示されている相手先へ発呼を行う（Ｓ２６ステップ）。【選択図】  図４
2004289343.tif 000002
【特許請求の範囲】
【請求項１】
指紋を検出する指紋センサと、指紋データと相手先情報を対応付けて格納する格納手段と、表示手段と、
前記指紋センサにより検出された指紋データと一致する指紋データが前記格納手段に格納されていると判定すると、前記一致する指紋データに対応する相手先情報を前記表示手段に表示させる制御手段と、を有することを特徴とする通信装置。
【請求項２】
請求項１記載の通信装置であり、更に、入力手段と、発呼手段とを有し、
前記制御手段は、前記表示手段に相手先情報が表示されている際に前記入力手段から発呼指示操作があると判定すると、前記表示手段に表示されている相手先へ発呼を行うように前記発呼手段を制御することを特徴とする通信装置。
【請求項３】
指紋を検出する指紋センサと、指紋データと相手先情報を対応付けて格納する格納手段と、表示手段と、発呼手段と、計時回路と、
前記指紋センサにより検出された指紋データと一致する指紋データが前記格納手段に格納されていると判定すると、前記一致する指紋データに対応する相手先情報を前記表示手段に表示させると共に前記計時回路に計時を開始させ、前記計時回路が所定時間の計時を行ったと判定すると、前記表示手段に表示されている相手先へ発呼するように前記発呼手段を制御する制御手段と、を有することを特徴とする通信装置。
【発明の詳細な説明】
【０００１】
【発明の属する技術分野】
本発明は、通信装置に関する。
【０００２】
【従来の技術】
近年の携帯電話装置等の爆発的な普及により、現在では、携帯電話装置に様々な機能が搭載されている。例えば、メール機能を有したものや、ＣＣＤ（Ｃｈａｒｇｅ  Ｃｏｕｐｌｅｄ  Ｄｅｖｉｃｅ）カメラを搭載したものや、バンキング機能を搭載したもの等、様々である。
【０００３】
又、このような携帯電話装置に関する技術も数多く提案されており、例えば、指紋センサ１６を携帯電話に搭載させ、指紋センサ１６が予めメモリに格納されている指紋データと一致する指紋を検出すると、キー操作を可能とする技術が提案されている（例えば、特許文献１参照）。
【０００４】
【特許文献１】
特開２００２−３３５３２４号公報（第３頁〜第５頁及び図１）。
【０００５】
【発明が解決しようとする課題】
このような携帯電話において、発呼する相手先を選択する方法には様々な方法が考えられる。先ず、第１に、ダイヤル番号を入力して発呼キーを押下する方法、第２に、複数のキー夫々に相手先を対応付け、特定のキーを押下すると、押下されたキーに対応する相手先へ発呼を行う、所謂ワンタッチダイヤルを用いた方法、第３に、ユーザのキー操作により相手先を切替表示させ、所望の相手先が表示された際に発呼キーを押下する、所謂電話帳機能を用いた方法が考えられる。
【０００６】
先ずダイヤル番号を入力する方法では、ユーザは発呼の度に一々ダイヤル番号を入力せねばならず、非常に使い勝手が悪い。次に、ワンタッチダイヤルを用いた方法では、多くの相手先を登録する為には登録先の人数分のキーを搭載させる必要があり、携帯電話の小型化の妨げとなる。更に、電話帳機能を用いた場合では、ユーザが一々相手先を選択操作しなければならず非常に操作が面倒である。
【０００７】
【課題を解決するための手段】
本発明はこのような課題を解決する為のものであり、請求項１記載の通信装置は、指紋を検出する指紋センサと、指紋データと相手先情報を対応付けて格納する格納手段と、表示手段と、前記指紋センサにより検出された指紋データと一致する指紋データが前記格納手段に格納されていると判定すると、前記一致する指紋データに対応する相手先情報を前記表示手段に表示させる制御手段と、を有することを特徴とする。
【０００８】
請求項２記載の通信装置は、請求項１記載の通信装置であり、更に、入力手段と、発呼手段とを有し、前記制御手段は、前記表示手段に相手先情報が表示されている際に前記入力手段から発呼指示操作があると判定すると、前記表示手段に表示されている相手先へ発呼を行うように前記発呼手段を制御することを特徴とする。
【０００９】
請求項３記載の通信装置は、指紋を検出する指紋センサと、指紋データと相手先情報を対応付けて格納する格納手段と、表示手段と、発呼手段と、計時回路と、前記指紋センサにより検出された指紋データと一致する指紋データが前記格納手段に格納されていると判定すると、前記一致する指紋データに対応する相手先情報を前記表示手段に表示させると共に前記計時回路に計時を開始させ、前記計時回路が所定時間の計時を行ったと判定すると、前記表示手段に表示されている相手先へ発呼するように前記発呼手段を制御する制御手段と、を有することを特徴とする。
【００１０】
【発明の実施の形態】
本発明を適用してなる実施例装置は、指紋センサ１６を用いることにより、ユーザが簡単な操作で発呼を行うことを可能とするものである。
【００１１】
図１は、本発明を適用してなる実施例装置の斜視図である。
【００１２】
図１に示す通信装置（例えば、携帯電話装置）は、例えば液晶表示装置からなる表示部１４等を搭載した第１の筐体１００と、テンキー１５１、通話キー１５２、切キー１５３、指紋センサ１６等を搭載した第２の筐体２００とをヒンジ部を介して接続してなる折り畳み式の携帯電話装置である。
【００１３】
図２は、本発明を適用してなる実施例装置である携帯電話装置のブロック図である。
【００１４】
図２において、通信部１は、後述するベースバンド部３からの信号をアンテナ２を介して基地局へ発信したり、アンテナ２を介して基地局からの電波を受信したりする。
【００１５】
ベースバンド部３は、ＣＤＭＡ（Ｃｏｄｅ  ＤｉｖｉＳｉｏｎ  Ｍｕｉｔｉｐｌｅ  ＡｃｃｅＳＳ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００１６】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００１７】
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
【００１８】
マイクロプロセッサからなる制御回路１１は、例えばＲＯＭ（Ｒｅａｄ  Ｏｎｌｙ  Ｍｅｍｏｒｙ）からなる第１格納部１２に格納されたシステムプログラムに基づいて、各部を制御する。
【００１９】
第２格納部１３は、例えばＳＲＡＭ（Ｓｔａｔｉｃ  Ｒａｎｄｕｍ  ＡｃｃｅＳＳ  Ｍｅｍｏｒｙ）からなり、電話番号に氏名と指紋データとを対応付けて複数格納可能である。
【００２０】
表示部１４は、電話番号や相手先の氏名等を表示する。
【００２１】
入力部１５は、テンキー１５１、通話キー１５２、切キー１５３、電源キー１５４等の各種キーからなる。
【００２２】
指紋センサ１６は、指紋を検出する為の指紋センサである。
【００２３】
次に本実施例装置の動作について以下に説明する。
【００２４】
図３は、電話番号に氏名と指紋データとを対応付けて登録（以下、指紋登録と称す）する際の動作を示すフロー図である。
【００２５】
電話番号に氏名と指紋データとを対応付けて登録する動作が開始されると、図３のＳ１ステップにおいて、制御部１１は、表示部１４に、例えば「電話番号を入力してください」といった電話番号の入力を促すメッセージを表示させ、Ｓ２ステップへ処理を進める。
【００２６】
Ｓ２ステップでは、制御部１１は、入力部から電話番号の入力があると判定すると、Ｓ３ステップへ処理を進め、そうでなければＳ１ステップへ処理を戻す。
【００２７】
Ｓ３ステップでは、制御部１１は、前記Ｓ２ステップで入力された電話番号を第２格納部１３に格納し、Ｓ４ステップへ処理を進める。
【００２８】
Ｓ４ステップでは、制御部１１は、表示部１４に、例えば「氏名を入力してください」といった氏名の入力を促すメッセージを表示させ、Ｓ５ステップへ処理を進める。
【００２９】
Ｓ５ステップでは、制御部１１は、入力部から氏名の入力があると判定するとＳ６ステップへ処理を進め、そうでなければＳ１０ステップへ処理を進める。
【００３０】
Ｓ６ステップでは、制御部１１は、前記Ｓ５ステップで入力された氏名データを、前記Ｓ３ステップで第２格納部１３に格納した電話番号と対応付けて、第２格納部１３に格納し、Ｓ７ステップへ処理を進める。
【００３１】
Ｓ７ステップでは、制御部１１は、表示部１４に、例えば「指紋センサに指を置いてください」と表示させ、Ｓ８ステップへ処理を進める。
【００３２】
Ｓ８ステップでは、制御部１１は、指紋センサ１６から指紋データを入力したと判定するとＳ９ステップへ処理を進め、そうでなければ、Ｓ１０ステップへ処理を進める。
【００３３】
Ｓ９ステップでは、制御部１１は、前記Ｓ６ステップで第２格納部１３に格納した氏名データに対応付けて前記Ｓ８ステップで入力した指紋データを第２格納部１３に格納し、Ｓ１０ステップへ処理を進める。
【００３４】
Ｓ１０ステップでは、制御部１１は、入力部１５から指紋登録を終了するよう指示する操作があると判定すると処理を終了し、そうでなければ、Ｓ１ステップへ処理を戻し、引き続いて指紋登録処理を行う。
【００３５】
このように、本実施例装置では、電話番号に、氏名と指紋データとを対応付けて格納可能である。このような構成を利用する際には、例えば、親指を両親（実家）の電話番号、薬指を兄弟の電話番号、人差し指を友達の電話番号、小指を恋人の電話番号、というふうに、各指の指紋データに電話番号と氏名を対応付けて格納することが可能である。一人のユーザの指紋データと電話番号を対応付けて格納する際には、最大、左手の５本の指と右手の５本の指、計１０本の指の指紋データを格納することが可能である、即ち、１０人分の電話番号データを指紋データに対応付けて格納することが可能である。
【００３６】
次に、本実施例装置の発呼動作について以下に説明する。
【００３７】
図４は、本実施例装置の発呼時の動作を示すフロー図である。
【００３８】
Ｓ２１ステップにおいて、制御部１１は、指紋センサ１６から指紋データを検出したと判定するとＳ２２ステップへ処理を進める。
【００３９】
Ｓ２２ステップでは、制御部１１は、前記Ｓ２１ステップで検出した指紋データと一致する指紋データが第２格納部１３に格納されていると判定するとＳ２４ステップへ処理を進め、そうでなければ、Ｓ２３ステップへ処理を進める。
【００４０】
Ｓ２３ステップでは、制御部１１は、表示部１４に、検出した指紋データと一致する指紋データがない旨を示すメッセージ（例えば、該当データなし）を表示し、Ｓ２１ステップへ処理を戻す。
【００４１】
Ｓ２４ステップでは、制御部１１は、前記Ｓ２２ステップで一致すると判定した指紋データに対応する電話番号と氏名を第２格納部１３から読み込み、表示部１４に表示させ、Ｓ２５ステップへ処理を進める。
【００４２】
Ｓ２５ステップでは、制御部１１は、入力部から通話キー１５２が押下されたと判定するとＳ２６ステップへ処理を進め、そうでなければＳ２１ステップへ処理を戻す。
【００４３】
Ｓ２６ステップでは、制御部１１は、前記Ｓ２４ステップで表示部１４に表示されている相手先へ発呼処理を行う。具体的には、制御部１１は、前記Ｓ２４ステップで表示されている相手先に対応する電話番号データを第２格納部１３から読み込み、ベースバンド部３と電話通信部１とを制御することにより、読み込んだ電話番号先へ発呼を行い、処理を終了する。
【００４４】
このように、本実施例では、ユーザの夫々の指の指紋データに電話番号を対応付けて格納可能である。このような構成であるため、例えば、親指の指紋データを両親の電話番号に、人差し指の指紋データを兄弟の電話番号に、中指の指紋データを友人の電話番号に、薬指の指紋データを親戚の電話番号に、小指の指紋データを恋人の電話番号に対応付けて第２格納部１３に格納することにより、発呼時には、ユーザが所望の相手先に対応する指を指紋センサ１６にあてるだけで、所望の相手先を表示させ、更に発呼操作により表示されている相手先へ発呼を行うことが可能である。
【００４５】
又、複数のキー夫々に電話番号を対応付けて格納する必要がない為、携帯電話の小型化を妨げることがない。
【００４６】
尚、本実施例では、相手先が表示されてからユーザが発呼操作を行うと相手先へ発呼を行う構成としたが、一致する指紋を検出すると、一致する指紋に対応する相手先情報を表示部に表示させると共にタイマー（例えば、制御部内部に搭載された計時回路）の計時を開始させ、タイマーが所定時間の計時を行うと自動的に検出された指紋に対応する相手先へ発呼を行う構成としても良い。このような構成とすることにより、表示されている相手先への発呼指示を行うという手間を省くことが可能である。
【００４７】
又、左手の指紋で分野を検出し、右手の指紋で分野毎の相手先を検出する構成としても良い。例えば、左手の親指を家族、人差し指を会社、中指を友達と、各分野に対応付け、右手の親指を分野が家族の場合は、父親、右手の人差し指を母親、中指を兄弟の電話番号に対応付ける構成としても良い。実際に実施する場合には、まず、通信装置の第２格納部１３、例えば、左手の指紋データを分野データとして格納する、即ち、左手の親指の指紋データを家族、人差し指の指紋データを会社の分野として対応付けて格納し、次に、右手の親指の指紋データを父親と部長、右手の人差指を母親と課長、右手の中指を兄弟と係長に対応付けて格納する。発呼時には、指紋センサが先ず左手の指紋データ（例えば、左手の親指）を検出することにより、検出する相手先の分野（例えば、家族）が決定される。続いて、指紋センサ１６が右手の指紋データ（例えば、右手の親指）を検出することにより、各分野（例えば、家族）に対応する相手先（例えば、父親）が決定される。続いて、ユーザの発呼操作に応じて父親へ発呼が行われる。このような構成とすることにより、登録する相手先の数を増やすことが可能である。
【００４８】
更に、本実施例では、携帯電話装置について行ったが、コードレス電話装置や、ファクシミリ装置等の通信装置にも同様に実施することが可能である。
【００４９】
【発明の効果】
本発明は、小型化を妨げることなく発呼操作を容易にすることを可能にする。
【図面の簡単な説明】
【図１】本発明を適用してなる実施例装置の斜視図である。
【図２】本実施例装置のブロック図である。
【図３】本実施例装置のフロー図である。
【図４】本実施例装置のフロー図である。
【符号の説明】
１  電話通信部
３  ベースバンド部
１１  制御部
１３  第２格納部
１４  表示部
１５  入力部
１６  指紋センサ
【図１】
2004289343.tif 000003
【図２】
2004289343.tif 000004
【図３】
2004289343.tif 000005
【図４】
2004289343.tif 000006